(57)【要約】【課題】「ＵＥ-ＥＵＴＲＡ-Ｃａｐａｂｉｌｉｔｙ」のサイズが増加した場合であっても、適切な通信制御を行う。【解決手段】本発明に係る移動通信方法は、移動局ＵＥが、無線基地局ｅＮＢに対して、「ＵＥ-ＥＵＴＲＡ-Ｃａｐａｂｉｌｉｔｙ」を通知する工程と、無線基地局ｅＮＢが、かかる「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、かかる「ＵＥ-ＥＵＴＲＡ-Ｃａｐａｂｉｌｉｔｙ」から所定能力を削除する工程と、無線基地局ｅＮＢが、移動管理ノードＭＭＥに対して、「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を通知する工程とを有する。【選択図】図３
2015084489.tif 000002
【特許請求の範囲】
【請求項１】
移動局が、第１装置に対して、該移動局の能力を含む能力情報を通知する工程と、
前記第１装置が、前記能力情報のサイズが該第１装置又は第２装置にて保存可能なサイズを上回っている場合、該能力情報から所定能力を削除する工程と、
前記第１装置が、前記第２装置に対して、前記能力情報から削除された能力或いは該能力情報から削除されなかった残りの能力を通知する工程とを有することを特徴とする移動通信方法。
【請求項２】
第１装置及び第２装置を具備する移動通信システムであって、
前記第１装置は、移動局から取得した該移動局の能力を含む能力情報のサイズが該第１装置又は第２装置にて保存可能なサイズを上回っている場合、該能力情報から所定能力を削除するように構成されており、
前記第１装置は、前記第２装置に対して、前記能力情報から削除された能力或いは該能力情報から削除されなかった残りの能力を通知するように構成されていることを特徴とする移動通信システム。
【請求項３】
無線基地局であって、
移動局から、該移動局の能力を含む能力情報を取得するように構成されている受信部と、
前記能力情報のサイズが前記無線基地局又は移動管理ノードにて保存可能なサイズを上回っている場合、該能力情報から所定能力を削除するように構成されている制御部と、
前記移動管理ノードに対して、前記能力情報から削除された能力或いは該能力情報から削除されなかった残りの能力を通知するように構成されている送信部とを具備していることを特徴とする無線基地局。
【請求項４】
前記制御部は、前記所定能力として、前記無線基地局のオペレータで用いられない能力及び優先度の低いサービスに係る能力の少なくとも一方を削除するように構成されていることを特徴とする請求項３に記載の無線基地局。
【請求項５】
前記制御部は、前記所定能力として、前記無線基地局のオペレータで用いられない能力及び優先度の低いサービスに係る能力の一方を削除した後、未だ前記能力情報のサイズが該無線基地局又は前記移動管理ノードにて保存可能なサイズを上回っている場合、他方を削除するように構成されていることを特徴とする請求項４に記載の無線基地局。
【請求項６】
前記送信部は、前記移動管理ノードに対して、前記能力情報から削除された能力或いは該能力情報から削除されなかった残りの能力と共に、該所定能力が削除された旨を通知するように構成されていることを特徴とする請求項３乃至５のいずれか一項に無線基地局。
【請求項７】
前記移動局による発着信手順において、前記受信部は、前記移動管理ノードから前記能力情報から削除された能力或いは該能力情報から削除されなかった残りの能力を受信した場合、該移動局から、再度、該移動局の能力を示す能力情報を取得するように構成されていることを特徴とする請求項６に記載の無線基地局。
【請求項８】
無線基地局が、移動局に対して、該移動局の能力を含む能力情報の一部について問い合わせる工程と、
前記移動局が、前記無線基地局に対して、該移動局の能力を含む能力情報の一部を通知する工程と、
前記無線基地局が、移動管理ノードに対して、前記能力情報の一部を通知する工程とを有することを特徴とする移動通信方法。
【発明の詳細な説明】
【技術分野】
【０００１】
本発明は、移動通信方法、移動通信システム及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥは、無線基地局ｅＮＢに対して、「ＵＥ  Ｃａｐａｂｉｌｉｔｙ  Ｉｎｆｏｒｍａｔｉｏｎ」によって、移動局ＵＥのＬＴＥ方式内での能力を示す「ＵＥ-ＥＵＴＲＡ-Ｃａｐａｂｉｌｉｔｙ」を送信するように構成されている（非特許文献１参照）。
【０００３】
無線基地局ｅＮＢは、かかる「ＵＥ-ＥＵＴＲＡ-Ｃａｐａｂｉｌｉｔｙ」に基づいて、実施すべき移動局ＵＥに係る制御を選択するように構成されている。
【０００４】
例えば、図８に示すように、移動局ＵＥのＡｔｔａｃｈ手順において、ステップＡにおいて、移動局ＵＥは、無線基地局ｅＮＢに対して、「ＵＥ  Ｃａｐａｂｉｌｉｔｙ  Ｉｎｆｏｒｍａｔｉｏｎ」によって、かかる「ＵＥ-ＥＵＴＲＡ-Ｃａｐａｂｉｌｉｔｙ」を通知し、ステップＢにおいて、無線基地局ｅＮＢは、移動管理ノードＭＭＥに対して、「ＵＥ  Ｃａｐａｂｉｌｉｔｙ  Ｉｎｆｏｒｍａｔｉｏｎ」によって、かかる「ＵＥ-ＥＵＴＲＡ-Ｃａｐａｂｉｌｉｔｙ」を通知し、移動管理ノードＭＭＥは、かかる「ＵＥ-ＥＵＴＲＡ-Ｃａｐａｂｉｌｉｔｙ」をメモリに保存するように構成されている。
【０００５】
その後、図９に示すように、移動局ＵＥの発着信手順において、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」によって、保存している「ＵＥ-ＥＵＴＲＡ-Ｃａｐａｂｉｌｉｔｙ」を通知するように構成されている。
【０００６】
したがって、移動局ＵＥの発着信手順において、無線基地局ｅＮＢは、移動局ＵＥに対して、「ＵＥ-ＥＵＴＲＡ-Ｃａｐａｂｉｌｉｔｙ」を問い合わせる必要がない。
【０００７】
ただし、移動管理ノードＭＭＥが、無線基地局ｅＮＢに対して、「Ｉｎｉｔｉａｌ  Ｃｏｎｔｅｘｔ  Ｓｅｔｕｐ  Ｒｅｑｕｅｓｔ」によって「ＵＥ-ＥＵＴＲＡ-Ｃａｐａｂｉｌｉｔｙ」を通知しない場合、Ａｔｔａｃｈ手順以外でも、無線基地局ｅＮＢは、移動局ＵＥから「ＵＥ  Ｃａｐａｂｉｌｉｔｙ  Ｉｎｆｏｒｍａｔｉｏｎ」を介して「ＵＥ-ＥＵＴＲＡ-Ｃａｐａｂｉｌｉｔｙ」を取得するように構成されている。
【先行技術文献】
【非特許文献】
【０００８】
【非特許文献１】３ＧＰＰ  ＴＳ３６.３３１  ６.３.６章  「ＵＥ-ＥＵＴＲＡ-Ｃａｐａｂｉｌｉｔｙ」
【発明の概要】
【発明が解決しようとする課題】
【０００９】
しかしながら、ＬＴＥ方式のＲｅｌｅａｓｅが新しくなるに連れて、「ＵＥ-ＥＵＴＲＡ-Ｃａｐａｂｉｌｉｔｙ」のサイズが大きくなってきている。
【００１０】
そのため、無線基地局ｅＮＢが、移動局ＵＥから「ＵＥ-ＥＵＴＲＡ-Ｃａｐａｂｉｌｉｔｙ」を取得する際に、かかる「ＵＥ-ＥＵＴＲＡ-Ｃａｐａｂｉｌｉｔｙ」のサイズが、無線基地局ｅＮＢにおいて保存可能なサイズを上回ってしまう可能性があるという問題点があった。
【００１１】
或いは、無線基地局ｅＮＢが、移動管理ノードＭＭＥに対して、「ＵＥ  Ｃａｐａｂｉｌｉｔｙ  Ｉｎｆｏｒｍａｔｉｏｎ」によって「ＵＥ-ＥＵＴＲＡ-Ｃａｐａｂｉｌｉｔｙ」を通知する際に、かかる「ＵＥ-ＥＵＴＲＡ-Ｃａｐａｂｉｌｉｔｙ」のサイズが、移動管理ノードＭＭＥにおいて保存可能なサイズを上回ってしまう可能性があるという問題点があった。
【００１２】
或いは、Ｓ１インターフェイスを介して行われる「Ｉｎｔｒａ-ＲＡＴ  ＨＯ」において、移動管理ノードＭＭＥ経由でハンドオーバ先無線基地局Ｔ-ｅＮＢに対して「ＵＥ-ＥＵＴＲＡ-Ｃａｐａｂｉｌｉｔｙ」が送信される際に、かかる「ＵＥ-ＥＵＴＲＡ-Ｃａｐａｂｉｌｉｔｙ」のサイズが、移動管理ノードＭＭＥにおいて保存可能なサイズを上回ってしまう可能性があるという問題点があった。
【００１３】
或いは、Ｅ-ＵＴＲＡＮ配下のセルからＵＴＲＡＮ/ＧＥＲＡＮ配下のセルに対して行われる「Ｉｎｔｅｒ-ＲＡＴ  ＨＯ」において、Ｅ-ＵＴＲＡＮからＵＴＲＡＮに対して「ＵＥ-ＥＵＴＲＡ-Ｃａｐａｂｉｌｉｔｙ」が送信される際に、「ＵＥ-ＥＵＴＲＡ-Ｃａｐａｂｉｌｉｔｙ」のサイズが、ＵＴＲＡＮ側で用いられる信号に含まれる情報要素の格納領域を上回ってしまう可能性があるという問題点があった。
【００１４】
そこで、本発明は、上述の課題に鑑みてなされたものであり、「ＵＥ-ＥＵＴＲＡ-Ｃａｐａｂｉｌｉｔｙ」のサイズが増加した場合であっても、適切な通信制御を行うことができる移動通信方法、移動通信システム及び無線基地局を提供することを目的とする。
【課題を解決するための手段】
【００１５】
本発明の第１の特徴は、移動通信方法であって、移動局が、第１装置に対して、該移動局の能力を示す能力情報を通知する工程と、前記第１装置が、前記能力情報のサイズが該第１装置又は第２装置にて保存可能なサイズを上回っている場合、該能力情報から所定能力を削除する工程と、前記第１装置が、前記第２装置に対して、前記能力情報から削除された能力或いは該能力情報から削除されなかった残りの能力を通知する工程とを有することを要旨とする。
【００１６】
本発明の第２の特徴は、第１装置及び第２装置を具備する移動通信システムであって、前記第１装置は、移動局から取得した該移動局の能力を示す能力情報のサイズが該第１装置又は第２装置にて保存可能なサイズを上回っている場合、該能力情報から所定能力を削除するように構成されており、前記第１装置は、前記第２装置に対して、前記能力情報から削除された能力或いは該能力情報から削除されなかった残りの能力を通知するように構成されていることを要旨とする。
【００１７】
本発明の第３の特徴は、無線基地局であって、移動局から、該移動局の能力を示す能力情報を取得するように構成されている受信部と、前記能力情報のサイズが前記無線基地局又は移動管理ノードにて保存可能なサイズを上回っている場合、該能力情報から所定能力を削除するように構成されている制御部と、前記移動管理ノードに対して、前記能力情報から削除された能力或いは該能力情報から削除されなかった残りの能力を通知するように構成されている送信部とを具備していることを要旨とする。
【００１８】
本発明の第４の特徴は、移動通信方法であって、無線基地局が、移動局に対して、該移動局の能力を含む能力情報の一部について問い合わせる工程と、前記移動局が、前記無線基地局に対して、該移動局の能力を含む能力情報の一部を通知する工程と、前記無線基地局が、移動管理ノードに対して、前記能力情報の一部を通知する工程とを有することを要旨とする。
【発明の効果】
【００１９】
以上説明したように、本発明によれば、「ＵＥ-ＥＵＴＲＡ-Ｃａｐａｂｉｌｉｔｙ」のサイズが増加した場合であっても、適切な通信制御を行うことができる移動通信方法、移動通信システム及び無線基地局を提供することができる。
【図面の簡単な説明】
【００２０】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動通信システムの動作を示すシーケンス図である。
【図４】本発明の第１の実施形態に係る無線基地局ｅＮＢの動作を示すフローチャートである。
【図５】本発明の変更例１に係る移動通信システムの動作を示すシーケンス図である。
【図６】本発明の変更例１に係る移動通信システムの動作を示すシーケンス図である。
【図７】本発明の変更例２に係る移動通信システムの動作を示すシーケンス図である。
【図８】従来技術を説明するための図である。
【図９】従来技術を説明するための図である。
【発明を実施するための形態】
【００２１】
（本発明の第１の実施形態に係る移動通信システム）
図１乃至図４を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００２２】
図１に示すように、本実施形態に係る移動通信システムは、移動管理ノードＭＭＥと、無線基地局ｅＮＢと、移動局ＵＥとを具備している。
【００２３】
図２に示すように、本実施形態に係る無線基地局ｅＮＢは、受信部１１と、制御部１２と、送信部１３とを具備している。
【００２４】
受信部１１は、無線基地局ｅＮＢから各種信号を受信するように構成されており、制御部１２は、無線基地局ｅＮＢとの間の通信に係る制御を行うように構成されており、送信部１３は、無線基地局ｅＮＢに対して各種信号を送信するように構成されている。
【００２５】
例えば、受信部１１は、移動局ＵＥのＡｔｔａｃｈ手順やハンドオーバ手順等において、移動局ＵＥから、「ＵＥ  Ｃａｐａｂｉｌｉｔｙ  Ｉｎｆｏｒｍａｔｉｏｎ」を介して「ＵＥ-ＥＵＴＲＡ-Ｃａｐａｂｉｌｉｔｙ」を取得するように構成されている。
【００２６】
また、制御部１２は、受信部１１によって取得された「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、かかる「ＵＥ-ＥＵＴＲＡ-Ｃａｐａｂｉｌｉｔｙ」から所定能力を削除するように構成されている。
【００２７】
ここで、制御部１２は、上述の所定能力として、無線基地局ｅＮＢのオペレータで用いられない能力及び優先度の低いサービスに係る能力の少なくとも一方を削除するように構成されていてもよい。
【００２８】
なお、無線基地局ｅＮＢのオペレータで用いられない能力としては、無線基地局ｅＮＢのオペレータで用いられないバンドに係る能力や、キャリアアグリゲーション（ＣＡ：Ｃａｒｒｉｅｒ  Ａｇｇｒｅｇａｔｉｏｎ）に係る能力や、無線基地局ｅＮＢのオペレータによって提供されないサービスに係る能力等が想定される。
【００２９】
また、優先度の低いサービスに係る能力としては、移動局ＵＥによって利用されていないサービスに係る能力等が想定される。
【００３０】
さらに、制御部１２は、上述の所定能力として、無線基地局ｅＮＢのオペレータで用いられない能力及び優先度の低いサービスに係る能力の一方を削除した後、未だ「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、他方を削除するように構成されていてもよい。
【００３１】
ここで、制御部１２は、優先度を用いて、無線基地局ｅＮＢのオペレータで用いられない能力及び優先度の低いサービスに係る能力のどちらを先に削除するかについて決定するように構成されていてもよい。
【００３２】
また、送信部１３は、移動管理ノードＭＭＥに対して、「ＵＥ  Ｃａｐａｂｉｌｉｔｙ  Ｉｎｆｏｒｍａｔｉｏｎ」によって、上述の「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を通知するように構成されている。
【００３３】
以下、図３及び図４を参照して、本実施形態に係る移動通信システムの動作の一例について、具体的には、本実施形態に係る移動通信システムにおける移動局ＵＥのＡｔｔａｃｈ手順について説明する。
【００３４】
図３に示すように、ステップＳ１００１において、ユーザが、移動局ＵＥの電源を入れると、ステップＳ１００２において、移動局ＵＥは、無線基地局ｅＮＢに対して、「ＲＲＣ  Ｃｏｎｎｅｃｔｉｏｎ  Ｒｅｑｕｅｓｔ」を送信する。
【００３５】
ステップＳ１００３において、無線基地局ｅＮＢは、移動局ＵＥに対して、「ＲＲＣ  Ｃｏｎｎｅｃｔｉｏｎ  Ｓｅｔｕｐ」を送信し、ステップＳ１００４において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ」を送信する。
【００３６】
ステップＳ１００５において、無線基地局ｅＮＢは、移動管理ノードＭＭＥに対して、「Ｉｎｉｔｉａｌ  ＵＥ  Ｍｅｓｓａｇｅ」を送信し、ステップＳ１００６において、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」を送信する。
【００３７】
ステップＳ１００７において、無線基地局ｅＮＢは、移動局ＵＥに対して、「ＵＥ-ＥＵＴＲＡ-Ｃａｐａｂｉｌｉｔｙ」について問い合わせるために、「ＵＥ  Ｃａｐａｂｉｌｉｔｙ  Ｅｎｑｕｉｒｙ」を送信する。
【００３８】
ステップＳ１００８において、移動局ＵＥは、無線基地局ｅＮＢに対して、「ＵＥ-ＥＵＴＲＡ-Ｃａｐａｂｉｌｉｔｙ」を通知するために、「ＵＥ  Ｃａｐａｂｉｌｉｔｙ  Ｉｎｆｏｒｍａｔｉｏｎ」を送信する。
【００３９】
ステップＳ１００９において、無線基地局ｅＮＢは、図４に示す制御を行う。
【００４０】
具体的には、図４に示すように、無線基地局ｅＮＢは、ステップＳ１０１において、「ＵＥ-ＥＵＴＲＡ-Ｃａｐａｂｉｌｉｔｙ」を受信すると、ステップＳ１０２において、かかる「ＵＥ-ＥＵＴＲＡ-Ｃａｐａｂｉｌｉｔｙ」が、無線基地局ｅＮＢ又は移動管理ノードＭＭＥにおいて保存可能なサイズを上回っているか否かについて判定する。
【００４１】
「ＹＥＳ」の場合、本制御は、ステップＳ１０３に進み、「ＮＯ」の場合、本制御は、終了する。
【００４２】
無線基地局ｅＮＢは、ステップＳ１０３において、かかる「ＵＥ-ＥＵＴＲＡ-Ｃａｐａｂｉｌｉｔｙ」に対して復号処理を施し、ステップＳ１０４において、かかる「ＵＥ-ＥＵＴＲＡ-Ｃａｐａｂｉｌｉｔｙ」から所定能力を削除し、ステップＳ１０５において、「ＵＥ-ＥＵＴＲＡ-Ｃａｐａｂｉｌｉｔｙ」から削除されなかった残りの能力に対して符号化処理を施し、ステップＳ１０６において、符号化処理が施された「ＵＥ-ＥＵＴＲＡ-Ｃａｐａｂｉｌｉｔｙ」をメモリに保存する。
【００４３】
ステップＳ１０１０において、無線基地局ｅＮＢは、移動管理ノードＭＭＥに対して、「ＵＥ  Ｃａｐａｂｉｌｉｔｙ  Ｉｎｆｏ  Ｉｎｄｉｃａｔｉｏｎ」によって、ステップＳ１００９における制御（Ｓｈｒｉｎｋ制御）が行われた「ＵＥ-ＥＵＴＲＡ-Ｃａｐａｂｉｌｉｔｙ」を通知する。
【００４４】
また、無線基地局ｅＮＢは、移動局ＵＥに対して、ステップＳ１０１１において、「Ｓｅｃｕｒｉｔｙ  Ｍｏｄｅ  Ｃｏｍｍａｎｄ」を送信し、ステップＳ１０１２において、「ＲＲＣ  Ｃｏｎｎｅｃｔｉｏｎ  Ｒｅｃｏｎｆｉｇｕｒａｔｉｏｎ」を送信する。
【００４５】
移動局ＵＥは、無線基地局ｅＮＢに対して、ステップＳ１０１３において、「Ｓｅｃｕｒｉｔｙ  Ｍｏｄｅ  Ｃｏｍｐｌｅｔｅ」を送信し、ステップＳ１０１４において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４６】
ステップＳ１０１５において、無線基地局ｅＮＢは、移動管理ノードＭＭＥに対して、「Ｉｎｉｔｉａｌ  Ｃｏｎｔｅｘｔ  Ｓｅｔｕｐ  Ｒｅｓｐｏｎｓｅ」を送信する。
【００４７】
（変更例１）
以下、図５及び図６を参照して、本発明の変更例１に係る移動通信システムについて、上述の第１の実施形態に係る移動通信システムとの相違点に着目して説明する。
【００４８】
本変更例１に係る移動通信システムでは、無線基地局ｅＮＢの送信部１３は、移動管理ノードＭＭＥに対して、上述の所定能力が削除された「ＵＥ-ＥＵＴＲＡ-Ｃａｐａｂｉｌｉｔｙ」と共に、ｓｈｒｉｎｋ情報として、かかる所定能力が削除された旨を通知するように構成されていてもよい。
【００４９】
なお、無線基地局ｅＮＢの送信部１３は、移動管理ノードＭＭＥに対して、ｓｈｒｉｎｋ情報として、削除された所定能力の内容について更に通知するように構成されていてもよい。
【００５０】
また、移動局ＵＥによる発着信手順において、無線基地局ｅＮＢの受信部１１は、移動管理ノードＭＭＥから所定能力が削除された「ＵＥ-ＥＵＴＲＡ-Ｃａｐａｂｉｌｉｔｙ」を受信した場合、移動局ＵＥから、再度、「ＵＥ-ＥＵＴＲＡ-Ｃａｐａｂｉｌｉｔｙ」を取得するように構成されていてもよい。
【００５１】
ここで、無線基地局ｅＮＢの受信部１１は、移動管理ノードＭＭＥから、ｓｈｒｉｎｋ情報が通知された場合に、移動管理ノードＭＭＥから所定能力が削除された「ＵＥ-ＥＵＴＲＡ-Ｃａｐａｂｉｌｉｔｙ」を受信したと判断するように構成されていてもよい。
【００５２】
以下、図５及び図６を参照して、本変更例１に係る移動通信システムの動作の一例について説明する。
【００５３】
第１に、図５を参照して、本変更例１に係る移動通信システムにおける移動局ＵＥのＡｔｔａｃｈ手順について説明する。
【００５４】
図５に示すように、ステップＳ２００１乃至Ｓ２００９の動作については、図３に示すステップＳ１００１乃至Ｓ１００９の動作と同一である。
【００５５】
ステップＳ２０１０において、無線基地局ｅＮＢは、移動管理ノードＭＭＥに対して、「ＵＥ  Ｃａｐａｂｉｌｉｔｙ  Ｉｎｆｏ  Ｉｎｄｉｃａｔｉｏｎ」によって、ステップＳ２００９における制御（Ｓｈｒｉｎｋ制御）が行われた「ＵＥ-ＥＵＴＲＡ-Ｃａｐａｂｉｌｉｔｙ」を通知する。
【００５６】
ここで、無線基地局ｅＮＢは、「ＵＥ  Ｃａｐａｂｉｌｉｔｙ  Ｉｎｆｏ  Ｉｎｄｉｃａｔｉｏｎ」によって、かかる所定能力が削除された旨（すなわち、ｓｈｒｉｎｋ制御が行われた旨）を示すフラグや、かかるｓｈｒｉｎｋ制御によって削除された能力を示す情報を含むｓｈｒｉｎｋ情報を通知する。
【００５７】
また、ステップＳ２０１１乃至Ｓ２０１５の動作については、図３に示すステップＳ１０１１乃至Ｓ１０１５の動作と同一である。
【００５８】
第２に、図６を参照して、本変更例１に係る移動通信システムにおける移動局ＵＥの発着信手順について説明する。ここで、移動管理ノードＭＭＥは、移動局ＵＥの接続のための能力や発着信手順に関連するサービスに係る能力を保存しているものとする。
【００５９】
図６に示すように、ステップＳ３００１において、移動局ＵＥの発着信手順が起動すると、ステップＳ３００２において、移動局ＵＥと無線基地局ｅＮＢとの間でＲＲＣコネクションが設定される。
【００６０】
ステップＳ３００３において、無線基地局ｅＮＢは、移動管理ノードＭＭＥに対して、「Ｉｎｉｔｉａｌ  ＵＥ  Ｍｅｓｓａｇｅ」を送信し、ステップＳ３００４において、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」を送信する。
【００６１】
ここで、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」によって、保存している「ＵＥ-ＥＵＴＲＡ-Ｃａｐａｂｉｌｉｔｙ」に加えて、上述のｓｈｒｉｎｋ情報を通知する。
【００６２】
無線基地局ｅＮＢは、ｓｈｒｉｎｋ情報に基づいて、通知された「ＵＥ-ＥＵＴＲＡ-Ｃａｐａｂｉｌｉｔｙ」から所定能力が削除されていると判断し、ステップＳ３００５において、移動局ＵＥに対して、再度、「ＵＥ-ＥＵＴＲＡ-Ｃａｐａｂｉｌｉｔｙ」について問い合わせるために、「ＵＥ  Ｃａｐａｂｉｌｉｔｙ  Ｅｎｑｕｉｒｙ」を送信する。
【００６３】
ステップＳ３００６において、移動局ＵＥは、無線基地局ｅＮＢに対して、「ＵＥ-ＥＵＴＲＡ-Ｃａｐａｂｉｌｉｔｙ」を通知するために、「ＵＥ  Ｃａｐａｂｉｌｉｔｙ  Ｉｎｆｏｒｍａｔｉｏｎ」を送信する。
【００６４】
なお、無線基地局ｅＮＢは、既に、移動管理ノードＭＭＥに対して、「ＵＥ-ＥＵＴＲＡ-Ｃａｐａｂｉｌｉｔｙ」を通知しているため、再度、「ＵＥ-ＥＵＴＲＡ-Ｃａｐａｂｉｌｉｔｙ」を通知しない。
【００６５】
無線基地局ｅＮＢは、移動局ＵＥに対して、ステップＳ３００７において、「Ｓｅｃｕｒｉｔｙ  Ｍｏｄｅ  Ｃｏｍｍａｎｄ」を送信し、ステップＳ３００８において、「ＲＲＣ  Ｃｏｎｎｅｃｔｉｏｎ  Ｒｅｃｏｎｆｉｇｕｒａｔｉｏｎ」を送信する。
【００６６】
移動局ＵＥは、無線基地局ｅＮＢに対して、ステップＳ３００９において、「Ｓｅｃｕｒｉｔｙ  Ｍｏｄｅ  Ｃｏｍｐｌｅｔｅ」を送信し、ステップＳ３０１０において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６７】
ステップＳ３０１１において、無線基地局ｅＮＢは、移動管理ノードＭＭＥに対して、「Ｉｎｉｔｉａｌ  Ｃｏｎｔｅｘｔ  Ｓｅｔｕｐ  Ｒｅｓｐｏｎｓｅ」を送信する。
【００６８】
なお、かかる移動局ＵＥの発着信手順において、無線基地局ｅＮＢは、移動局ＵＥに対して、「ＵＥ-ＥＵＴＲＡ-Ｃａｐａｂｉｌｉｔｙ」について問い合わせる必要がない場合、かかる移動局ＵＥの発着信手順が完了した後（すなわち、ステップＳ３０１１の後）に、ステップＳ３００５及びＳ３００６を行ってもよい。
【００６９】
（変更例２）
以下、図７を参照して、本発明の変更例２に係る移動通信システムについて、上述の第１の実施形態に係る移動通信システムとの相違点に着目して説明する。
【００７０】
ここで、図７を参照して、本発明の変更例２に係る移動通信システムの動作の一例について説明する。
【００７１】
図７に示すように、無線基地局ｅＮＢは、例えば、移動局ＵＥから取得した「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合等に、ステップＳ４００１において、移動局ＵＥに対して、「ＵＥ  Ｃａｐａｂｉｌｉｔｙ  Ｅｎｑｕｉｒｙ」によって、「ＵＥ-ＥＵＴＲＡ-Ｃａｐａｂｉｌｉｔｙ」の一部について問い合わせる。
【００７２】
ステップＳ４００２において、移動局ＵＥは、無線基地局ｅＮＢに対して、「ＵＥ  Ｃａｐａｂｉｌｉｔｙ  Ｉｎｆｏｒｍａｔｉｏｎ」によって、「ＵＥ-ＥＵＴＲＡ-Ｃａｐａｂｉｌｉｔｙ」の一部を通知する。
【００７３】
ステップＳ４００３において、無線基地局ｅＮＢは、移動管理ノードＭＭＥに対して、「ＵＥ  Ｃａｐａｂｉｌｉｔｙ  Ｉｎｆｏ  Ｉｎｄｉｃａｔｉｏｎ」によって、かかる「ＵＥ-ＥＵＴＲＡ-Ｃａｐａｂｉｌｉｔｙ」の一部を通知する。
【００７４】
（変更例３）
上述の第１の実施形態、変更例１及び変更例２に係る移動通信システムは、ＬＴＥ方式の移動通信システムだけでなく、第４世代以降の移動通信システムやＷＣＤＭＡ方式の移動通信システムやＧＳＭ方式の移動通信システム等にも適用可能である。
【００７５】
また、上述の第１の実施形態、変更例１及び変更例２に係る移動通信システムは、無線基地局ｅＮＢと移動管理ノードＭＭＥとの間だけでなく、無線回線制御局ＲＮＣとコアネットワーク装置（例えば、移動管理ノードＭＭＥ）との間や、ハンドオーバ元の無線アクセスネットワーク装置（或いは、コアネットワーク装置）とハンドオーバ先の無線アクセスネットワーク装置（或いは、コアネットワーク装置）との間等にも適用可能である。
【００７６】
さらに、「ＵＥ-ＥＵＴＲＡ-Ｃａｐａｂｉｌｉｔｙ」の代わりに、移動局ＵＥの能力を通知する任意の情報が用いられてもよい。
【００７７】
以上に述べた本実施形態の特徴は、以下のように表現されていてもよい。
【００７８】
本実施形態の第１の特徴は、移動通信方法であって、移動局ＵＥが、無線基地局ｅＮＢ（第１装置）に対して、「ＵＥ-ＥＵＴＲＡ-Ｃａｐａｂｉｌｉｔｙ（移動局の能力を示す能力情報）」を通知する工程と、無線基地局ｅＮＢが、かかる「ＵＥ-ＥＵＴＲＡ-Ｃａｐａｂｉｌｉｔｙ」のサイズが無線基地局ｅＮＢ又は移動管理ノードＭＭＥ（第２装置）にて保存可能なサイズを上回っている場合、かかる「ＵＥ-ＥＵＴＲＡ-Ｃａｐａｂｉｌｉｔｙ」から所定能力を削除する工程と、無線基地局ｅＮＢが、移動管理ノードＭＭＥに対して、「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を通知する工程とを有することを要旨とする。
【００７９】
本実施形態の第２の特徴は、無線基地局ｅＮＢ及び移動管理ノードＭＭＥを具備する移動通信システムであって、無線基地局ｅＮＢは、移動局ＵＥから取得した「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、かかる「ＵＥ-ＥＵＴＲＡ-Ｃａｐａｂｉｌｉｔｙ」から所定能力を削除するように構成されており、無線基地局ｅＮＢは、移動管理ノードＭＭＥに対して、「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を通知するように構成されていることを要旨とする。
【００８０】
本実施形態の第３の特徴は、無線基地局ｅＮＢであって、移動局ＵＥから、「ＵＥ-ＥＵＴＲＡ-Ｃａｐａｂｉｌｉｔｙ」を取得するように構成されている受信部１１と、かかる「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、かかる「ＵＥ-ＥＵＴＲＡ-Ｃａｐａｂｉｌｉｔｙ」から所定能力を削除するように構成されている制御部１２と、移動管理ノードＭＭＥに対して、「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を通知するように構成されている送信部１３とを具備していることを要旨とする。
【００８１】
これらの特徴によれば、無線基地局ｅＮＢにおいて、「ＵＥ-ＥＵＴＲＡ-Ｃａｐａｂｉｌｉｔｙ」のサイズを削減することができるため、無駄な移動局ＵＥの能力情報の送信を減らすことができ、無線基地局ｅＮＢや移動管理ノードＭＭＥにおけるメモリサイズを減らすことができる。
【００８２】
本実施形態の第３の特徴において、制御部１２は、上述の所定能力として、無線基地局ｅＮＢのオペレータで用いられない能力及び優先度の低いサービスに係る能力の少なくとも一方を削除するように構成されていてもよい。
【００８３】
かかる特徴によれば、移動局ＵＥのＡｔｔａｃｈ手順以降に用いられる可能性の少ない能力情報を削除することで、移動局ＵＥのＡｔｔａｃｈ手順以降の通信に対して影響を与えることなく「ＵＥ-ＥＵＴＲＡ-Ｃａｐａｂｉｌｉｔｙ」のサイズを削減することができる。
【００８４】
本実施形態の第３の特徴において、制御部１２は、上述の所定能力として、無線基地局ｅＮＢのオペレータで用いられない能力及び優先度の低いサービスに係る能力の一方を削除した後、未だ「ＵＥ-ＥＵＴＲＡ-Ｃａｐａｂｉｌｉｔｙ」のサイズが無線基地局ｅＮＢ又は移動管理ノードＭＭＥにて保存可能なサイズを上回っている場合、他方を削除するように構成されていてもよい。
【００８５】
かかる特徴によれば、移動局ＵＥのＡｔｔａｃｈ手順以降に用いられる可能性の少ない能力情報を効率的に削除することができる。
【００８６】
本実施形態の第３の特徴において、送信部１３は、移動管理ノードＭＭＥに対して、上述の「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力と共に、かかる所定能力が削除された旨を通知するように構成されていてもよい。
【００８７】
かかる特徴によれば、無線基地局ｅＮＢは、移動局ＵＥの発着信手順において、かかる通知に基づいて、移動局ＵＥから、再度、「ＵＥ-ＥＵＴＲＡ-Ｃａｐａｂｉｌｉｔｙ」を取得することができる。
【００８８】
本実施形態の第３の特徴において、移動局ＵＥによる発着信手順において、受信部１１は、移動管理ノードＭＭＥから「ＵＥ-ＥＵＴＲＡ-Ｃａｐａｂｉｌｉｔｙ」から削除された能力或いは「ＵＥ-ＥＵＴＲＡ-Ｃａｐａｂｉｌｉｔｙ」から削除されなかった残りの能力を受信した場合、移動局ＵＥから、再度、「ＵＥ-ＥＵＴＲＡ-Ｃａｐａｂｉｌｉｔｙ」を取得するように構成されていてもよい。
【００８９】
かかる特徴によれば、移動局ＵＥのＡｔｔａｃｈ手順以降の通信に対して影響が与えられる可能性をより低減することができる。
【００９０】
本実施形態の第４の特徴は、無線基地局ｅＮＢが、移動局ＵＥに対して、「ＵＥ-ＥＵＴＲＡ-Ｃａｐａｂｉｌｉｔｙ」の一部について問い合わせる工程と、移動局ＵＥが、無線基地局ｅＮＢに対して、かかる「ＵＥ-ＥＵＴＲＡ-Ｃａｐａｂｉｌｉｔｙ」の一部を通知する工程と、無線基地局ｅＮＢが、移動管理ノードＭＭＥに対して、かかる「ＵＥ-ＥＵＴＲＡ-Ｃａｐａｂｉｌｉｔｙ」の一部を通知する工程とを有することを要旨とする。
【００９１】
かかる特徴によれば、無線基地局ｅＮＢや移動管理ノードＭＭＥにおいて保存すべき「ＵＥ-ＥＵＴＲＡ-Ｃａｐａｂｉｌｉｔｙ」のサイズを削減することができるため、無駄な移動局ＵＥの能力情報の送信を減らすことができ、無線基地局ｅＮＢや移動管理ノードＭＭＥにおけるメモリサイズを減らすことができる。
【００９２】
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９６】
ＭＭＥ…移動管理ノード
ＵＥ…移動局
ｅＮＢ…無線基地局
１１…受信部
１２…制御部
１３…送信部
【図１】
2015084489.tif 000003
【図２】
2015084489.tif 000004
【図３】
2015084489.tif 000005
【図４】
2015084489.tif 000006
【図５】
2015084489.tif 000007
【図６】
2015084489.tif 000008
【図７】
2015084489.tif 000009
【図８】
2015084489.tif 000010
【図９】
2015084489.tif 000011